(57)【要約】【課題】  インターホン子機に設けられているカメラを監視カメラの如く使用し、別途設けた録画装置に容易に録画できるインターホンシステムを提供する。【解決手段】  ネットワークカメラ用プロトコルにより録画動作し、通信ネットワークを介して接続さた録画装置３を備え、インターホン子機１はネットワークカメラ用プロトコルにより録画装置３とリンクを確立してカメラ１４の撮像映像を送信すると共に、ＩＰ電話用プロトコルによりインターホン親機２とリンクを確立してカメラ１４の撮像映像を送信し、ＩＰ電話用プロトコルにより音声信号の送受を行う子機ＣＰＵ１５を有し、インターホン親機２はＩＰ電話用プロトコルによりインターホン子機１とリンクを確立してカメラ１４の撮像映像を表示部２４に表示し、ＩＰ電話用プロトコルによりインターホン子機１とリンクを確立して音声信号の送受を実施する親機ＣＰＵ２５を有する。【選択図】  図１
2014229914.tif 000002
【特許請求の範囲】
【請求項１】
居住者を呼び出して通話する機能及び訪問者を撮像するためのカメラを備えたインターホン子機と、前記インターホン子機からの呼出に応答する機能及び前記カメラの撮像映像を表示する表示部を備えたインターホン親機とを有し、双方が通信ネットワークを介して接続されたインターホンシステムであって、
ネットワークカメラ用プロトコルにより録画動作し、前記通信ネットワークを介して接続された録画装置を備え、
前記インターホン子機は、ネットワークカメラ用プロトコルにより前記録画装置とリンクを確立して前記カメラの撮像映像を送信すると共に、ＩＰ電話用プロトコルにより前記インターホン親機とリンクを確立して前記カメラの撮像映像を送信する映像送出部と、ＩＰ電話用プロトコルにより音声信号の送受を行う子機通話制御部とを有し、
前記インターホン親機は、ＩＰ電話用プロトコルにより前記インターホン子機とリンクを確立して前記カメラの撮像映像を前記表示部に表示する映像受信部と、ＩＰ電話用プロトコルにより前記インターホン子機とリンクを確立して音声信号の送受を実施する親機通話制御部を有することを特徴とするインターホンシステム。
【請求項２】
前記インターホン子機が送出するネットワークカメラ用プロトコルに基づく信号、及びＩＰ電話用プロトコルに基づく信号は、共通するインターフェースを介して送出されることを特徴とする請求項１記載のインターホンシステム。
【請求項３】
前記映像送出部は、前記ネットワークカメラ用プロトコルに基づく映像信号の送出を常時実施すると共に、前記録画装置は前記カメラの撮像映像の録画を２４時間実施し、
前記ＩＰ電話用プロトコルによる映像信号の送出を、前記インターホン子機が呼出操作を受けてから前記インターホン親機において通話終了操作が成されるまでの間実施することを特徴とする請求項１又は２記載のインターホンシステム。
【請求項４】
前記インターホン子機は、人物の接近を感知する人感センサを備え、
前記映像送出部は、前記ネットワークカメラ用プロトコルに基づく映像信号の送出を、前記人感センサの感知動作をトリガとして開始することを特徴とする請求項１又は２記載のインターホンシステム。
【発明の詳細な説明】
【技術分野】
【０００１】
本発明は、インターホン機器が具備する訪問者を撮像するためのカメラに、監視カメラとしての機能を持たせたインターホンシステムに関する。
【背景技術】
【０００２】
訪問者が居住者を呼び出すために玄関等に設置されたインターホン子機に、訪問者を撮像するためのカメラを備え、居住者が応答するためのインターホン親機にカメラの撮像映像を表示する表示部を備えたものが普及している。更には、このようなインターホン子機とインターホン親機とをＬＡＮ等の通信ネットワークを介して接続することで、システムを拡張し易くしたシステムがある（例えば、特許文献１参照）。
【先行技術文献】
【特許文献】
【０００３】
【特許文献１】特開２００３−３３３１９９号公報
【発明の概要】
【発明が解決しようとする課題】
【０００４】
上記特許文献１の構成の場合、インターホン子機或いはインターホン親機の増設は容易に実施できた。
しかしながら、別途録画装置を設けて、インターホン子機のカメラを訪問者の撮像だけでなく監視カメラのように常時動作させて不審者の監視も可能とする構成を考えた場合、録画装置は監視カメラの撮像映像を録画するために、例えばＯＮＶＩＦのプロトコルが採用されているのに対して、インターホン機器間の通信はインターホン専用のＳＩＰが採用されている。そのため、プロトコル変換するアダプタを別途必要とした。
【０００５】
そこで、本発明はこのような問題点に鑑み、インターホン子機に設けられているカメラを監視カメラの如く動作させて、別途設けた録画装置に容易に録画できるインターホンシステムを提供することを目的としている。
【課題を解決するための手段】
【０００６】
上記課題を解決する為に、請求項１の発明は、居住者を呼び出して通話する機能及び訪問者を撮像するためのカメラを備えたインターホン子機と、インターホン子機からの呼出に応答する機能及びカメラの撮像映像を表示する表示部を備えたインターホン親機とを有し、双方が通信ネットワークを介して接続されたインターホンシステムであって、ネットワークカメラ用プロトコルにより録画動作し、通信ネットワークを介して接続された録画装置を備え、インターホン子機は、ネットワークカメラ用プロトコルにより録画装置とリンクを確立してカメラの撮像映像を送信すると共に、ＩＰ電話用プロトコルによりインターホン親機とリンクを確立してカメラの撮像映像を送信する映像送出部と、ＩＰ電話用プロトコルにより音声信号の送受を行う子機通話制御部とを有し、インターホン親機は、ＩＰ電話用プロトコルによりインターホン子機とリンクを確立してカメラの撮像映像を表示部に表示する映像受信部と、ＩＰ電話用プロトコルによりインターホン子機とリンクを確立して音声信号の送受を実施する親機通話制御部を有することを特徴とする。
この構成によれば、インターホン子機に設けられたカメラの撮像映像をネットワークカメラ規格の録画装置で録画できるため、別途監視カメラを設置することなく、監視カメラ映像録画のための録画装置で録画できる。よって、録画した映像をパーソナルコンピュータや監視カメラ用表示装置で見ることができ、利便性が向上する。また、インターホン親機を変更すること無くインターホン子機のカメラ撮像映像を表示部で表示でき、最小限のコストで監視カメラの機能を追加できる。
尚、通信ネットワークとは、インターネットや電話網等のＷＡＮや、ビル内等の域内に配設されたＬＡＮを言う。また、ネットワークカメラ用プロトコルとは、ＯＮＶＩＦ（Open Network Video Interface Forum）やＰＳＩＡ（Physical Security Interoperability Alliance）に準拠したネットワークカメラの映像伝送に好適なプロトコルを言い、ＩＰ電話用プロトコルとはＳＩＰ（Session Initiation Protocol）やＨ．３２３等の音声の伝送に好適なプロトコルを言う。
【０００７】
請求項２の発明は、請求項１に記載の構成において、インターホン子機が送出するネットワークカメラ用プロトコルに基づく信号、及びＩＰ電話用プロトコルに基づく信号は、共通するインターフェースを介して送出されることを特徴とする。
この構成によれば、２種類のプロトコルにより映像信号を送信する構成であっても、共通するインターフェースから通信ネットワーク上に送出されるため、通信のためのプロトコルを複数使用してもインターフェースを複数設ける必要がなく、インターホン子機の大型化を防止できる。
【０００８】
請求項３の発明は、請求項１又は２に記載の構成において、映像送出部は、ネットワークカメラ用プロトコルに基づく映像信号の送出を常時実施すると共に、録画装置はカメラの撮像映像の録画を２４時間実施し、ＩＰ電話用プロトコルによる映像信号の送出を、インターホン子機が呼出操作を受けてからインターホン親機において通話終了操作が成されるまでの間実施することを特徴とする。
この構成によれば、カメラ撮像映像の録画は、呼出動作に関係なく２４時間継続して実施するため、呼出操作等で途切れたりすることが無くセキュリティの向上に役立つ。
【０００９】
請求項４の発明は、請求項１又は２に記載の構成において、インターホン子機は、人物の接近を感知する人感センサを備え、映像送出部は、ネットワークカメラ用プロトコルに基づく映像信号の送出を、人感センサの感知動作をトリガとして開始することを特徴とする。
この構成によれば、人物の接近を感知して自動でカメラの撮像映像の録画が開始されるため、不審者等が存在する場合は必ず録画動作する。よって、セキュリティの向上に役立つし、常時録画することがないため録画装置の録画容量を削減できる。
【発明の効果】
【００１０】
本発明によれば、インターホン子機に設けられたカメラの撮像映像をネットワークカメラ規格の録画装置で録画できるため、別途監視カメラを設置することなくなく監視カメラ専用の録画装置で録画できる。よって、録画した映像をパーソナルコンピュータや監視カメラ用表示装置で見ることができ、利便性が向上する。また、インターホン親機を変更すること無くインターホン子機のカメラ撮像映像を表示部で表示でき、最小限のコストで監視カメラの機能を追加できる。
【図面の簡単な説明】
【００１１】
【図１】インターホンシステムの一例を示す構成図であり、個々の機器を回路ブロック図で示している。
【図２】インターホンシステムの他の例を示す構成図であり、個々の機器を回路ブロック図で示している。
【発明を実施するための形態】
【００１２】
以下、本発明を具体化した実施の形態を、図面を参照して詳細に説明する。図１は本発明に係るインターホンシステムの一例を示す構成図であり、個々の機器を回路ブロック図で示している。図１において、１は玄関等の戸外に設置されて訪問者が居住者を呼び出すためのインターホン子機（以下、単に「子機」と称する。）、２は住戸内に設置されて子機１の呼出操作を受けて応答するためのインターホン親機（以下、単に「親機」と称する。）、３は映像を録画する録画装置、４は通信ネットワークである。
尚、この実施形態では録画装置３を２台接続し、同時に２箇所で録画する構成を示している。また、通信ネットワーク４は、インターネットや電話網等のＷＡＮや、ビル内等の域内に配設されたＬＡＮを言う。
【００１３】
子機１は、訪問者が居住者を呼出操作する呼出ボタン１１、通話するためのマイク１２及びスピーカ１３、訪問者を撮像するためのカメラ１４、子機１全体を制御する子機ＣＰＵ１５、親機２及び録画装置３と通信する子機通信ＩＦ１６等を備えている。そして、子機ＣＰＵ１５は、２種類のプロトコルに基づく映像信号の送信を実施し、１種類のプロトコルにより通話音声の送受を実施する。
具体的に子機ＣＰＵ１５は、ネットワークカメラに適したＯＮＶＩＦと、ＩＰ電話に適したＳＩＰの２種類のプロトコルに準拠して映像信号を送出し、ＳＩＰに準拠して音声信号の送受を実施する。
【００１４】
親機２は、呼び出しを受けて応答操作したり、各種操作を行う操作部２１、通話するためのマイク２２及びスピーカ２３、カメラ１４の撮像映像を表示する表示部２４、親機２全体を制御する親機ＣＰＵ２５、子機１と通信するための親機通信ＩＦ２６等を備えている。そして親機ＣＰＵ２５は、ＳＩＰに準拠して映像信号の受信、及び音声信号の送受を実施する。
【００１５】
録画装置３は、ＯＮＶＩＦのプロトコルに準拠した映像信号を録画するもので、映像を録画する記憶部３１、録画装置全体を制御する録画装置ＣＰＵ３２、子機１と通信する録画装置通信ＩＦ３３等を備えている。
【００１６】
上記の如く構成したインターホンシステムは以下のように動作する。子機ＣＰＵ１５は、カメラ１４を２４時間常時撮像動作させ、呼び出しの有無に関わらず映像信号を送出させる。具体的に、子機ＣＰＵ１５の制御でＯＮＶＩＦのプロトコルにより、子機通信ＩＦ１６、通信ネットワーク４を介して、双方の録画装置３，３とリンクが確立したら、マルチキャストのＲＴＰ（Real-time Transport Protocol）により映像信号が常時送信される。
映像信号を受信した録画装置３，３では、録画装置ＣＰＵ３２の制御で記憶部３１に映像が録画される。
【００１７】
この状態で、訪問者等により子機１の呼出ボタン１１が押下されたら、子機ＣＰＵ１５がＳＩＰに準拠する呼出信号を生成し、子機通信ＩＦ１６から親機２に対して送信される。その後リンクが確立したら、子機ＣＰＵ１５の制御でユニキャストのＲＴＰに基づくプロトコルに基づく映像信号が生成されて親機２に送信される。
映像信号を受信した親機２では、親機ＣＰＵ２５の制御で表示部２４にカメラ１４の撮像映像が表示される。
尚、この間、ＯＮＶＩＦによる録画装置３への映像信号の送信及び録画は継続され、子機通信ＩＦ１６からは２つのプロトコルによる映像信号が同時に送出される。
【００１８】
また、呼出信号を受信した親機２は、親機ＣＰＵ２５の制御によりスピーカ２３から呼出音が報音され、この呼び出しを受けて居住者が操作部２１を通話操作すると、子機１と親機２の間でセッションが確立する。即ち、通話路が形成されて通話が可能となる。こうして、居住者は表示部２４に表示された訪問者の映像を見ながら訪問者と通話を実施できる。
【００１９】
その後、通話が終了して居住者により操作部２１が終話操作されると形成された通話路が切断される。この通話終了をトリガとして、子機ＣＰＵ１５は親機２へのＲＴＰによる映像信号の送信を終了する。
【００２０】
このように、子機１に設置されたカメラ１４の撮像映像をネットワークカメラ規格の録画装置で録画できるため、別途監視カメラを設置することなく、監視カメラ映像録画のための録画装置で録画できる。よって、録画した映像をパーソナルコンピュータや監視カメラ用表示装置で見ることができ、利便性が向上する。また、親機２を変更すること無く子機１のカメラ撮像映像を表示部２４で表示でき、最小限のコストで監視カメラの機能を追加できる。
そして、２種類のプロトコルにより映像信号を送信する構成であっても、共通する子機通信ＩＦ１６により通信ネットワーク４に接続されるため、通信のためのプロトコルを複数使用してもインターフェースを複数設ける必要がなく、子機１の大型化を防止できる。
また、カメラ１４の撮像映像の録画は、呼出動作に関係なく２４時間継続して実施されるため、呼出操作等で途切れたりすることが無くセキュリティの向上に役立つ。
【００２１】
尚、カメラ１４のＯＮＶＩＦによる撮像映像の出力（録画）は、２４時間連続して行わなくても良く、特定の時間帯に実施しても良い。
【００２２】
次に、他の形態として、カメラ１４が撮像を開始するためのセンサを備えた構成を説明する。図２は子機１に人の接近を感知する人感センサ１７を設けたインターホンシステムを示している。他の構成要素については上記図１と同様であるため説明を省略し、以下上記インターホンシステムとの差異を中心に動作を説明する。
【００２３】
子機１が呼出操作を受けない待受状態時は、カメラ１４はオフ状態にあり映像信号は送信されない。そして、人が子機１へ接近して人感センサ１７が感知動作すると、子機ＣＰＵ１５の制御によりカメラ１４が撮像を開始し、その撮像映像が録画装置３へ送信される。上述したように、録画装置３への送信はＯＮＶＩＦのプロトコルにより録画装置３とリンクを確立したら、マルチキャストのＲＴＰにより映像信号が送信される。映像信号を受信した録画装置３は、録画装置ＣＰＵ３２の制御により記憶部３１への録画が開始される。
【００２４】
その後、近づいてきた人物により子機１が呼出操作されると、子機ＣＰＵ１５の制御でＳＩＰに基づく呼出信号が生成され、親機２へ送信される。その後の親機への映像の送信は上記形態と同様であるため説明を省略する。
そして、呼び出しを受けた居住者が操作部２１を応答操作すると、通話路が形成されて通話が実施され、通話が終了したら居住者により操作部２１が終話操作されると通話路が切断され、表示部２４の表示も終了する。また、人物が立ち去り人感センサ１７からの感知信号の出力がなくなったら、子機ＣＰＵ１５はＯＮＶＩＦのプロトコルによる録画装置３への送信を終了し、待受け状態に戻る。
【００２５】
尚、呼出ボタン１１が操作された段階では必ず事前に人感センサ１７により人物が感知されるはずだが、もし人感センサ１７の作動前に呼出ボタン１１が操作されたら、呼出ボタン１１によりＯＮＶＩＦのプロトコルで録画装置３に映像信号の送信を開始する。また、通話終了時に人物が検知されていなければその時点でＯＮＶＩＦのプロトコルによる録画装置３への送信を終了し、待受け状態に戻る。
【００２６】
このように、人感センサ１７により不審者等の接近を感知して自動でカメラ１４の撮像映像を録画するため、カメラ１４を監視カメラの如く動作させることができ、セキュリティの向上に役立つし、常時録画することがないため録画装置の録画容量を削減できる。
そして、上記実施形態と同様に、親機２を変更すること無く子機１のカメラ撮像映像を録画装置３で録画できるし表示部２４で表示でき、最小限のコストで監視カメラの機能を追加できる。
【００２７】
尚、上記各実施形態では、録画装置３への映像信号の送信をマルチキャストのＲＴＰに基づくプロトコルで実施しているが、ユニキャストのＲＴＰに基づくプロトコルで実施しても良い。マルチキャスト方式の場合、録画装置３の数に依らずパケット数は一定で済むため、録画装置３が多数接続されていても良好に映像を伝送でき好ましいが、１台或いは２台程度の録画装置３に映像信号を送信する場合は、ユニキャスト方式でも遅延無く送信できる。
また、ＯＮＶＩＦとＳＩＰを使用した構成を説明したが、録画装置３が公知のＰＳＩＡのプロトコルに準拠する映像信号を録画するものであれば、子機ＣＰＵ１５はＯＮＶＩＦではなくＰＳＩＡに基づいて映像信号を送信すれば良い。更に、音声信号の送受はＨ．３２３のプロトコルに準拠させても良い。
【符号の説明】
【００２８】
１・・インターホン子機、２・・インターホン親機、３・・録画装置、４・・通信ネットワーク、１１・・呼出ボタン、１４・・カメラ、１５・・子機ＣＰＵ（映像送出部、子機通話制御部）、１６・・子機通信ＩＦ（インターフェース）、１７・・人感センサ、２１・・操作部、２４・・表示部、２５・・親機ＣＰＵ（映像受信部、親機通話制御部）、２６・・親機通信ＩＦ。
【図１】
2014229914.tif 000003
【図２】
2014229914.tif 000004